(57)【特許請求の範囲】
【請求項１】
室外機と、室外機より下方に設置された複数の室内機との間で、相変化可能な流体を主に液相と気相との比重差によって循環させる装置であって、有効に作動している室内機を流れる流体の出入口温度、もしくはその温度差に起因する物理量の差が他の有効に作動している複数の室内機の前記差より少なくとも所定時間に渡って突出した際に、他の複数の室内機に流れる流体の流量を前記差の突出量が減る方向へ補正可能な流量調整弁を備えると共に、室外機で凝縮した流体を室内機に搬送するためのポンプを室外機の熱交換器よりは低く、室内機の熱交換器よりは高い部位の液相管に設けたことを特徴とする空調装置。
【発明の詳細な説明】
【０００１】
【発明の属する技術分野】
本発明は空調装置に関するものであり、特に詳しくは室外機と、全数もしくは過半数が室外機より下方に設置された複数の室内機との間で、相変化可能な流体を循環させ、各室内機において冷暖房可能に構成した装置に関する。
【０００２】
【従来の技術】
この種の装置として、例えば図５に示した構成の空調装置が、例えば特開平７−１５１３５９号公報に開示されている。図中１は冷水または温水が供給できる室外熱交換器（以下、室外機）、４は室外機１より下層の階に設置された室内機、５は室内機の熱交換器、８は流量調整弁、１１Ａは電動ポンプ、２１〜２４は開閉弁であり、これらを液相管６と気相管７とで図のように配管接続して閉回路３を形成し、閉回路３に封入した冷媒が室外機１と室内機４との間で循環して、室内機４において冷／暖房が行えるようになっている。なお、２５は室外機１の側面に設置された液レベルセンサであり、暖房運転時に室外機１に溜った冷媒液が一定となるように電動ポンプ１１Ａを制御する。
【０００３】
すなわち、上記構成の空調装置においては、室内機４が設置されている室内空気の温度が高いときに、電動ポンプ１１Ａを停止した状態で、開閉弁２１・２２を閉じて開閉弁２３・２４を開けると共に、流量調整弁８も開け、室外機１において発生させる冷熱によって閉回路３に封入した冷媒を冷却して凝縮させると、室外機１で凝縮した冷媒液は液相管６を自重で流下し、開閉弁２３・２４および流量調整弁８を介して熱交換器５に流入する。
【０００４】
そして、熱交換器５に流入した冷媒液は、熱交換器の管壁を介して室内空気から熱を奪って冷房作用を行うと共に、冷媒自身は蒸発して気相管７に流入し、冷媒が凝縮して低圧となっている室外機１に還流すると云った自然循環が起こるので、電力消費量が年間を通じて最大となる夏期においては電動ポンプ１１Ａを駆動する電力が不要であり、ランニングコストが削減できると云った利点がある。
【０００５】
また、開閉弁２１・２４を閉じて開閉弁２２・２３を開けると共に、流量調整弁８も開け、電動ポンプ１１Ａを起動して、室外機１において発生させる冷熱によって閉回路３に封入した冷媒を冷却して凝縮させると、室外機１で凝縮した冷媒液は自重と電動ポンプ１１Ａの吐出力とで液相管６を流下し、流量調整弁８を通って熱交換器５に入り、冷房作用を行う冷媒の循環が強制的に行われる。
【０００６】
このように、電動ポンプ１１Ａを起動して冷房を行う場合は、室外機１の直ぐ下に当たる上層階に設置した熱交換器５にも十分な量の冷媒液が供給できると云った利点がある。
【０００７】
一方、室内機４が設置されている室内空気の温度が低いときに、開閉弁２２・２３を閉じて開閉弁２１・２４を開けると共に、流量調整弁８も開け、電動ポンプ１１Ａを起動した状態で、室外機１において発生させる温熱によって閉回路３に封入した冷媒を加熱して蒸発させると、室外機１で蒸発した冷媒蒸気は気相管７を介して熱交換器５に流入する。
【０００８】
そして、熱交換器５に流入した冷媒蒸気は、熱交換器の管壁を介して室内空気に放熱して暖房作用を行うと共に、冷媒自身は凝縮して液相管６に流入し、開閉弁２４・２１を介して電動ポンプ１１Ａにより室外機１に還流すると云った循環が起こり、室内機４における暖房運転が継続されるようになっている。
【０００９】
【発明が解決しようとする課題】
しかし、特開平７−１５１３５９号公報に開示された上記構成の空調装置においては、電動ポンプを停止して冷媒を自然循環させて冷房を行う場合には、電力消費がピークとなる夏期の電力消費が削減でき、ランニングコストの抑制が実現できるが、室外機との上下差が小さい上層階の室内機には十分な量の冷媒が供給され難い上に、同一階に設置された室内機であっても、配管の長さの相違や、引き回し角度などによって冷媒が供給され易い場合と、供給され難い場合とがあり、室内温度の制御が正確に行い難いと云った問題点がある。
【００１０】
一方、電動ポンプを起動すれば、上層階に設置の室内機にも十分な量の冷媒が供給でき、必要な冷房作用が確保できるが、ポンプを駆動するための電力が必要となる。しかも、この場合の電動ポンプは暖房運転時に室内機で凝縮した冷媒液を上方に設置した室外機まで搬送することができる能力を備えた大型のポンプであるため、電力消費が一層嵩むと云った問題点がある。
【００１１】
したがって、全ての室内機において十分な冷房作用が発揮でき、しかも電力消費量が少ない空調装置を提供する必要があった。
【００１２】
【課題を解決するための手段】
本発明は上記従来技術の課題を解決するため、室外機と、室外機より下方に設置された複数の室内機との間で、相変化可能な流体を主に液相と気相との比重差によって循環させる装置において、有効に作動している室内機を流れる流体の出入口温度、もしくはその温度差に起因する物理量の差が他の有効に作動している複数の室内機の前記差より少なくとも所定時間に渡って突出した際に、他の複数の室内機に流れる流体の流量を前記差の突出量が減る方向へ補正可能な流量調整弁を備えると共に、室外機で凝縮した流体を室内機に搬送するためのポンプを室外機の熱交換器よりは低く、室内機の熱交換器よりは高い部位の液相管に設けるようにした空調装置を提供するものである。
【００１４】
【発明の実施の形態】
以下、本発明の実施形態について、図１〜図４を参照して説明する。なお、理解を容易にするため、これらの図においても前記図５において説明した部分と同様の機能を有する部分には、同一の符号を付した。
【００１５】
〔第１の実施形態〕
図１と図２は、本発明になる第１の実施形態を示したものであり、１は冷熱を発生させることができる、例えば吸収式冷凍機などからなる室外機であり、建物の例えば屋上にある機械室などに設置され、例えば蒸発器の内部に配管した熱交換器２を介して、閉回路３に封入した相変化が可能な流体、例えば低温度でも圧力が低下すると容易に蒸発し得る、Ｒ−１３４ａと熱の授受を行う。
【００１６】
５は、建物の各部屋に設置した室内機４の熱交換器であり、室外機１の熱交換器２は、図のように液相管６・気相管７及び流量調整弁８によって配管・接続されて、前記閉回路３を形成している。また、液相管６にはレシーバタンク１６と電動ポンプ１７とを破線で示したように、すなわちレシーバタンク１６は室外機１で凝縮した流体が流入可能に室外機１の熱交換器２よりは低く設ける。また、電動ポンプ１７はレシーバタンク１６よりは低く、室内機４の熱交換器５よりは高い部位に設ける。
【００１７】
なお、８Ｍは流量調整弁８の開度を制御するためのステッピングモータ、９は室内空気を熱交換器５に吹き付けて室内に還流させるための送風機、１０と１１はＲ−１３４ａの温度を検出するために熱交換器５のＲ−１３４ａの出入口に設けた温度センサであり、流量調整弁８の開度が同じであれば、空調負荷が大きいほど入口側の温度センサ１０と出口側の温度センサ１１との温度差は拡大し、空調負荷が小さいほど前記温度差は縮小する。
【００１８】
また、この室外機１には室外制御装置１２を、室内機４には温度センサ１０・１１が検出したＲ−１３４ａの温度情報に基づいてステッピングモータ８Ｍを動作させ、流量調整弁８の開度を制御する室内制御装置１３を設けてある。そして、室内制御装置１３には、流量調整弁８の現開度および温度センサ１０・１１が検出した温度情報を通信信号に変換可能であると共に、外部から受信した通信信号を所要の制御信号に変換することのできる信号変換器（図示せず）を内蔵して、室外制御装置１２と室内制御装置１３とを通信線１４によって接続し、室外制御装置１２が出力する制御信号を室内制御装置１３が受けて流量調整弁８の開度が制御されるようにも構成してある。また、室内制御装置１３と通信可能で、冷房の起動／停止、送風の強弱選択、温度設定などが行えるリモコン１５を各室内機４に対応して設置してある。
【００１９】
先ず、閉回路３に封入したＲ−１３４ａの基本的な循環サイクル、すなわち電動ポンプ１７が起動されていないときの循環サイクルを説明する。室外機１で発生した冷熱によってＲ−１３４ａは熱交換器２の管壁を介して冷却されるので、Ｒ−１３４ａは凝縮して下流側の液相管６に溜り、室内機４の流量調整弁８を介して各熱交換器５に所定温度、例えば７℃で供給される。
【００２０】
一方、各熱交換器５においては、送風機９によって温度の高い室内空気が強制的に供給されているので、室外機１から７℃で供給された液状のＲ−１３４ａは室内空気から熱を奪って蒸発し、冷房作用を行なう。
【００２１】
そして、Ｒ−１３４ａが冷却されて凝縮・液化し、低圧になっている室外機１の熱交換器２に気相管７を通って還流すると云った循環が自然に起こる。
【００２２】
しかし、発明が解決しようとしている課題の所で説明したように、室外機１の熱交換器２で放熱・凝縮し、室内機４の熱交換器５に流入するＲ−１３４ａの自重は下の階に設置された室内機４ほど大きく作用し、上の階に設置されている室内機４ほど小さく作用するので、開度が同じであっても流量調整弁８を通って熱交換器５に供給されるＲ−１３４ａの量は、下の階に設置されている室内機４ほど多く、上層階に設置されている室内機４ほど少なくなる傾向にある。
【００２３】
また、同じ階に設置されている室内機４であっても、流路抵抗の関係から室外機１の近くに設置された室内機４と、遠く離れて設置された室内機４では近くに設置された室内機４ほどＲ−１３４ａは流入し易く、さらに配管の内径が相違していたり、引き回し設置する際の曲率などによってもＲ−１３４ａの流入の難易度は影響を受ける。
【００２４】
さらに、液相管６でのＲ−１３４ａの沸騰による抵抗もあり、流量調整弁８の開度を機器の設置場所に基づいて補正制御しても温度的に安定するまでの時間が長くかかる。また、液相管６でのＲ−１３４ａの沸騰は、その循環する量によっても影響を受けるため、状況は絶えず変化することになる。
【００２５】
例えば、沸騰による気泡混入のため抵抗が大きい室内機４ではＲ−１３４ａの循環量が少なく、流量調整弁８をいくら開けても前記温度差が縮小しないことがある。このような場合は、他の室内機４の流量調整弁８の開度を若干閉めてこの部分へのＲ−１３４ａの循環量を減らすことで、流量が減っていた室内機４へのＲ−１３４ａの循環量を多くして沸騰を抑え、抵抗を通常のレベルに戻す。
【００２６】
すなわち、温度センサ１０・１１が検出した温度情報が同じであるからと云って、流量調整弁８に室内制御装置１３から同じ制御信号を出力してその開度制御を行ったのでは、冷房負荷に応じた適量のＲ−１３４ａが供給できない。
【００２７】
このため、室外制御装置１２は、起動している全ての室内機４における温度センサ１０・１１が検出した温度情報を通信回線１４を介して室内制御装置１３から受け取ると、先ず温度センサ１１が検出した温度ｔ1 と、温度センサ１０が検出した温度ｔ0 との差｜ｔ1 −ｔ0 ｜を全ての室内機４についてΔＴ1 、ΔＴ2 、ΔＴ3 、ΔＴ4 、・・・ΔＴn と求め、次にこの差（｜ｔ1 −ｔ0 ｜）が最大となっているΔＴi を、例えば１０秒毎に選出し、このΔＴi が最大を保つ時間が所定時間（例えば、３０秒間）経過すると、対応する室内機以外において以下の補正が行われる。
【００２８】
すなわち、その差（ｔ1 −ｔ0 ）が所定値、例えば３℃以上になっている場合は、第１の強制補正として、前記選定した室内機４を除く他の室内機４の流量調整弁８が閉じる方向に、各ステッピングモータ８Ｍを所定ステップだけ強制的に動作させる制御信号を通信回線１４を介してそれぞれの室内制御装置１３に出力し、各流量調整弁８の開度Ｋを強制的に補正する。
【００２９】
また、前記差（ｔ1 −ｔ0 ）が所定時間に渡って所定値、例えば−３℃以下になっている場合は、第２の強制補正として、前記選定した室内機４を除く他の室内機４の流量調整弁８が開く方向に、各ステッピングモータ８Ｍを所定ステップだけ強制的に動作させる制御信号を通信回線１４を介してそれぞれの室内制御装置１３に出力し、各流量調整弁８の開度Ｋを強制的に補正する。
【００３０】
例えば送風機９が室内機４に取り込んで熱交換器５に吹き付けている空気の温度、すなわち室温がリモコン１５で設定した温度と同じか高い場合はΔＴtgt ＝１とし、そうでない場合はΔＴtgt ＝３とし、温度センサ１１が検出するＲ−１３４ａの温度ｔ1 と、温度センサ１０が検出するＲ−１３４ａの温度ｔ0 との温度差ΔＴがΔＴtgt となるように、各流量調整弁８の開度Ｋを制御して冷房運転しているときの強制補正制御の例を図２に基づいて説明する。
【００３１】
ステップＳ１では、各室内機４において先ず室温が設定温度以上であるか否かを判定し、イエスと判定されたときにはステップＳ２に移行してΔＴtgt ＝１とし、ノーと判定されたときにはステップＳ３に移行してΔＴtgt ＝３とする。
【００３２】
ステップＳ４では、前記温度差ΔＴが零以上であるか否かを判定し、イエスと判定されたときにはステップＳ５に移行してΔＴ≧ΔＴtgt であるか否かを判定し、ノーと判定されたときにはステップＳ６に移行してΔＫ１＝０とする。
【００３３】
ステップＳ５でイエスと判定されたときにはステップＳ７に移行して、例えばΔＫ１＝（ΔＴ−ΔＴtgt ）／４とし、ノーと判定されたときにはステップＳ８に移行して、例えばΔＫ１＝−α（但し、αはパワーなどを考慮して空調装置を設置する際に、例えば０．２〜２．４の範囲で決定）とする。
【００３４】
ステップＳ９では、室外制御装置１２から強制補正指示が出力されているか否かを判定し、イエスと判定されたときにはステップＳ１０に移行してΔＫ２＝β（但し、βは前記第１の強制補正を行う場合は、例えば−２、前記第２の強制補正を行う場合は、例えば＋２）とし、ノーと判定されたときにはステップＳ１１に移行してΔＫ２＝０とする。
【００３５】
そして、ステップＳ１２では流量調整弁８の開度ＫをＫ＋ΔＫ１＋ΔＫ２に制御し、ステップＳ１３により１０秒毎にこの制御を繰り返し行う。
【００３６】
したがって、例えば沸騰により生成した気泡が混入して抵抗が増大し、流量調整弁８をいくら開けてもＲ−１３４ａの流量が増大せず、このため熱交換器５の出入口部におけるＲ−１３４ａの温度差が縮小しない室内機４があっても、正常に機能している他の室内機４の流量調整弁８の開度が、室外制御装置１２が出力する強制補正指示に基づいて若干閉まり、これによりこれら正常に機能している室内機４に流れるＲ−１３４ａの量が減少し、流量が減っていた室内機４へのＲ−１３４ａの分配量が増大して沸騰が抑えられるので、抵抗が通常のレベルに戻って他の室内機４と同等の空調性が速やかに確保される。
【００３７】
また、何らかの理由でＲ−１３４ａが流れ易くなり、熱交換器５で異常な過冷却状態となった室内機４があっても、正常に機能している他の室内機４の流量調整弁８の開度が、室外制御装置１２が出力する強制補正指示に基づいて若干開き、これによりこれら正常に機能している室内機４に流れるＲ−１３４ａの量が増大し、流量が増えていた室内機４へのＲ−１３４ａの分配量が減少して、空調性が他の室内機４と同レベルに抑えられる。
【００３８】
そして、本発明の空調装置は、室外制御装置１２と室内制御装置１３とによって室内機４の流量調整弁８が上記のように制御され、且つ、図１に破線で示したように、レシーバタンク１６と電動ポンプ１７とを設置してあるので、Ｒ−１３４ａの液体と気体の比重差に加えて電動ポンプ１７による搬送力が作用し、室内機４の設置階の相違によるＲ−１３４ａの流入の難易差が縮小できる。これにより、室内機４の一部を室外機１と同じフロアに設置することも可能になる。
【００４０】
〔第２の実施形態〕
図３と図４に基づいて第２の実施形態を説明する。この第２の実施形態においては、液相管６には破線で示したレシーバタンク１６、電動ポンプ１７に加えて、冷暖切替弁（開閉弁）１８・レシーバタンク１９・暖房用の電動ポンプ２０を図のように配管接続し、室外機１で冷熱を発生しながら電動ポンプ２０の運転を停止し、開閉弁１８を開弁したときには前記第１の実施形態と同じＲ−１３４ａの循環が起こって冷房運転が行え、室外機１で温熱を発生しながら開閉弁１８を閉弁し、電動ポンプ２０を運転したときには、室外機１で発生した温熱によって閉回路３のＲ−１３４ａが熱交換器２の管壁を介して加熱されて蒸発し、気相管７を介して各室内機４の熱交換器５に所定温度、例えば５５℃で供給され、各熱交換器５においては、送風機９によって強制的に供給された温度の低い室内空気にＲ−１３４ａが放熱して凝縮・液化し、この凝縮・液化時に暖房作用を行ない、さらに、凝縮したＲ−１３４ａの液体が流量調整弁８を通ってレシーバタンク１９に入り、電動ポンプ２０の搬送力によって室外機１の熱交換器２に還流するＲ−１３４ａの循環が可能に、すなわち冷／暖房の何れか一方の空調が選択実施可能になっている。
【００４１】
なお、蒸発器に配管した熱交換器２から冷熱を供給したり、温熱を供給することができる吸収式冷凍機としては、例えば特開平７−３１８１８９号公報などに開示されたものが使用できる。
【００４２】
室外制御装置１２は、暖房運転時においても起動中の全ての室内機４における温度センサ１０・１１が検出した温度情報を通信回線１４を介して室内制御装置１３から受け取ると、先ず温度センサ１１が検出した温度ｔ1 と、温度センサ１０が検出した温度ｔ0 との差（ｔ1 −ｔ0 ）を全ての室内機４についてΔＴ1 、ΔＴ2 、ΔＴ3 、ΔＴ4 、・・・ΔＴn と求め、次にこの差（ｔ1 −ｔ0 ）が最大となっているΔＴi を、例えば１０秒毎に選出し、このΔＴi が最大を保つ時間が所定時間（例えば、３０秒間）経過すると、対応する室内機以外において以下の補正が行われる。
【００４３】
すなわち、その差（ｔ1 −ｔ0 ）が所定値、例えば３℃以上になっている場合は、強制補正として、前記選定した室内機４を除く他の室内機４の流量調整弁８が閉じる方向に、各ステッピングモータ８Ｍを所定ステップだけ強制的に動作させる制御信号を通信回線１４を介してそれぞれの室内制御装置１３に出力し、各流量調整弁８の開度Ｋを強制的に補正する。
【００４４】
例えば送風機９が室内機４に取り込んで熱交換器５に吹き付けている空気の温度、すなわち室温がリモコン１５で設定した温度と同じか低い場合は場合はΔＴtgt ＝１とし、そうでない場合はΔＴtgt ＝３とし、温度センサ１１が検出するＲ−１３４ａの温度ｔ1 と、温度センサ１０が検出するＲ−１３４ａの温度ｔ0 との温度差ΔＴがΔＴtgt となるように、各流量調整弁８の開度Ｋを制御して暖房運転しているときの強制補正制御の例を図４に基づいて説明する。
【００４５】
ステップＳ２１では、各室内機４において先ず室温が設定温度以下であるか否かを判定し、イエスと判定されたときにはステップＳ２２に移行してΔＴtgt ＝１とし、ノーと判定されたときにはステップＳ２３に移行してΔＴtgt ＝３とする。
【００４６】
ステップＳ２４では、前記温度差ΔＴが零以上であるか否かを判定し、イエスと判定されたときにはステップＳ２５に移行してΔＴ≧ΔＴtgt であるか否かを判定し、ノーと判定されたときにはステップＳ２６に移行してΔＫ１＝０とする。
【００４７】
ステップＳ２５でイエスと判定されたときにはステップＳ２７に移行して、例えばΔＫ１＝（ΔＴ−ΔＴtgt ）／４とし、ノーと判定されたときにはステップＳ２８に移行して、例えばΔＫ１＝−α（但し、αはパワーなどを考慮して空調装置を設置する際に、例えば０．２〜２．４の範囲で決定）とする。
【００４８】
ステップＳ２９では、室外制御装置１２から強制補正指示が出力されているか否かを判定し、イエスと判定されたときにはステップＳ３０に移行してΔＫ２＝２とし、ノーと判定されたときにはステップＳ３１に移行してΔＫ２＝０とする。
【００４９】
そして、ステップＳ３２では流量調整弁８の開度ＫをＫ＋ΔＫ１＋ΔＫ２に制御し、ステップＳ３３により１０秒毎にこの制御を繰り返し行う。
【００５０】
したがって、暖房運転においても、流量調整弁８をいくら開けてもＲ−１３４ａの流量が増大せず、このため熱交換器５の出入口部におけるＲ−１３４ａの温度差が縮小しない室内機４があっても、正常に機能している他の室内機４の流量調整弁８の開度が、室外制御装置１２が出力する強制補正指示に基づいて若干閉まり、これによりこれら正常に機能している室内機４に流れるＲ−１３４ａの量が減少し、流量が減っていた室内機４へのＲ−１３４ａの分配量が増大するので、他の室内機４と同等の空調性が速やかに確保されるようになる。
【００５１】
なお、この第２の実施形態の空調装置も、図３に破線で示したように、レシーバタンク１６と電動ポンプ１７とを設置してあるので、Ｒ−１３４ａの液体と気体の比重差に加えて電動ポンプ１７による搬送力が作用し、冷房運転時に室内機４の設置階の相違によるＲ−１３４ａの流入の難易差が縮小できる。これにより、室内機４の一部を室外機１と同じフロアに設置することも可能になる。
【００５３】
また、暖房運転時に開弁し、冷房運転時に閉弁する、破線で示した冷暖切替弁（開閉弁）１８ａを図のように設置することにより、暖房運転時に電動ポンプ２０によって室外機１に向けて搬送されるＲ−１３４ａが、冷房用の電動ポンプ１７を経由しないようにして、搬送抵抗を減少させることができる。
【００５４】
また、温度センサ１０・１１は、熱交換器５に吹き付ける室内空気の温度変化が検出できるように設置したり、温度センサ１０・１１に代えて、熱交換器５の出入口部におけるＲ−１３４ａの圧力差が検出できる圧力センサを設置して、室外制御装置１２に空調負荷として出力するように構成することもできる。
【００５５】
また、閉回路３に封入する相変化可能な流体としては、Ｒ−１３４ａの他にも、Ｒ−４０７ｃ、Ｒ−４０４Ａ、Ｒ−４１０ｃなどであっても良い。
【００５６】
【発明の効果】
以上説明したように、本発明の空調装置によれば、例えば沸騰により生成した気泡が混入するなどして抵抗が増大し、流量調整弁をいくら開けても相変化可能な流体の流量が増大せず、このため室内機の出入口部における前記流体の温度差が縮小しない室内機があっても、正常に機能している他の室内機の流量調整弁の開度が、室外機が出力する強制補正指示に基づいて若干閉まり、これによりこれら正常に機能している室内機に流れる前記流体の量が減少し、流量が減っていた室内機への前記流体の分配量が増大して沸騰が抑えられ、抵抗が速やかに通常のレベルに戻って他の室内機と同等の空調性が確保されるようになる。
【００５７】
また、前記流体が何らかの理由で流れ易くなり、異常な過冷却状態となった室内機があっても、正常に機能している他の室内機の流量調整弁の開度が、室外機が出力する強制補正指示に基づいて若干開き、これによりこれら正常に機能している室内機に流れる前記流体の量が増大し、流量が増えていた室内機への前記流体の分配量が減少して、空調性が他の室内機と同レベルに抑えられる。
【図面の簡単な説明】
【図１】第１の実施形態の装置構成を示す説明図である。
【図２】第１の実施形態の制御例を示す説明図である。
【図３】第２の実施形態の装置構成を示す説明図である。
【図４】第２の実施形態の制御例を示す説明図である。
【図５】従来技術の説明図である。
【符号の説明】
１  室外機
２  熱交換器
３  閉回路
４  室内機
５  熱交換器
６  液相管
７  気相管
８  流量調整弁
８Ｍ  ステッピングモータ
９  送風機
１０・１１  温度センサ
１２  室外制御装置
１３  室内制御装置
１４  通信線
１５  リモコン
１６  レシーバタンク
１７  電動ポンプ
１８  冷暖切替弁（開閉弁）
１９  レシーバタンク
２０  電動ポンプ
【図１】
0003663028.tif 000002
【図２】
0003663028.tif 000003
【図３】
0003663028.tif 000004
【図４】
0003663028.tif 000005
【図５】
0003663028.tif 000006